(57)【要約】【課題】染み抜き作業者は悪臭に耐えながら、又、多量に吸引すると呼吸器官に支障を来すことを心配しながら作業をしなければならないこと、これに伴い作業能率が低下すること。【解決手段】  テーブル２等に設けられた繊維製品３の汚れ部位３ａを載置する吸引面４と、該吸引面４と連通して吸引面４から空気を吸引する吸引・排出手段５と、該吸引・排出手段５の吐出口５ｂと連通して前記吸引面４から吸引した染み抜き液の成分を含む空気を浄化する浄化槽６と、該浄化槽６の空気の出口に設けた吸着剤７を、具備することを特徴とする染み抜き装置としたこと。【選択図】図１
2019010247.tif 000002
【特許請求の範囲】
【請求項１】
テーブル等に設けられた繊維製品の汚れ部位を載置する吸引面と、該吸引面と連通して前記吸引面から空気を吸引する吸引・排出手段と、該吸引・排出手段の吐出口と連通して前記吸引面から吸引した染み抜き液の成分を含む空気を浄化する浄化槽と、該浄化槽の空気の出口に設けた吸着剤を、具備することを特徴とする染み抜き装置。
【請求項２】
前記浄化槽は、浄化槽内の底部に前記吐出口から吸い込まれた前記染み抜き液の成分を含む空気を浄化槽内の浄化水と接触するように放出する放出ノズルを有する放出管と、前記浄化水面と前記浄化槽の空気の出口に設けた前記吸着剤と、を具備することを特徴とする請求項１に記載の染み抜き装置。
【請求項３】
前記染み抜き液は、その成分が、グリコールエーテル類の含有量が４５〜５５％、プロピレングリコールモノメチルエーテル（化学式：Ｃ４Ｈ１０Ｏ２、ＣＡＳ番号：１０７−９８−２ ）が２５〜３５％、エタノール（化学式：Ｃ２Ｈ６Ｏ、ＣＡＳ番号：６４−１７−５）が１５〜２５％の組み合わせの混合物であることを特徴とする請求項１に記載の染み抜き装置。
【発明の詳細な説明】
【技術分野】
【０００１】
この発明は、主としてクリーニング業に於いて用いられる染み抜き装置に関し、具体的には、衣服などの繊維製品に付着したしみや汚れを除去する染み抜き装置に関する。
【背景技術】
【０００２】
この種の染み抜き装置は、例えば、特許文献１に示されるように、細長なテーブルの先端部分に金属メッシュからなる吸引面が設けられており、この吸引面の上方に食べ物、インクやボールペン、汗や皮質、血液等々のしみや汚れがある繊維製品の汚れ部位を置いてから、その汚れ部位の上方から染みの原因物質を溶かす染み抜き液を噴霧したり、布切れにしみこませて擦ったり、ブラシで擦るなどして染み抜き液を付着させ、しみや汚れを溶かしている。そして、吸引面は乾湿掃除機の吸引口と連結されているので、繊維製品の汚れ部位に作用して汚れ物質を溶かした染み抜き液や気化した粒子が汚れの原因物質と共に吸引面から吸引されて乾湿掃除機内に吸い込まれる。空気を含む気体部分は乾湿掃除機の排出口から大気中に放出されている。しみや汚れの原因物質によって異なるが、染み抜き液としては、揮発性のベンジン、エタノール、クレジングオイル、などの有機溶媒が一般に使用されているので、これら有機溶剤の液状、気体が作業現場に放出され、作業者はこれを吸い込みながら作業をしている。
【先行技術文献】
【特許文献】
【０００３】
【特許文献１】特開２００２−１１３２８９号公報
【発明の概要】
【発明が解決しようとする課題】
【０００４】
上記した従来の染み抜き装置においては、染み抜き液がベンジンのような揮発性のある有機溶媒であるので、乾湿掃除機の吐出口から排出される繊維製品の汚れを溶かした染み抜き液の気体成分は、揮発性で悪臭を含んでいるので、同じ室内に排出口がある場合には染み抜き作業者は悪臭に耐えながら、又、多量に吸引すると呼吸器官に支障を来すことを心配しながら作業をしなければならない問題点がある。これに伴い作業能率が低下するという問題点がある。
【課題を解決するための手段】
【０００５】
この発明はこのような事情に鑑みて、染み抜き作業者の作業環境を改善すべくなされたものであって、その手段とするところは、作業テーブル等に設けられた繊維製品の汚れ部位を載置する吸引面と、該吸引面と連通して吸引面から空気を吸引する吸引・排出手段と、該吸引・排出手段の吐出口と連通して前記吸引面から吸引した染み抜き液の成分を含む空気を浄化する浄化槽と、該浄化槽の空気の出口に設けた吸着剤を、具備する染み抜き装置としたところにある。
【０００６】
又、前記浄化槽は、浄化槽内の底部に前記吐出口から吸い込まれた染み抜き液の成分を含む空気を浄化槽内の浄化水と接触するように放出する放出ノズルを有する放出管と、前記浄化水面と浄化槽の空気の出口に設けた前記吸着剤と、を具備することにある。
【０００７】
更に、前記染み抜き液は、その成分が、グリコールエーテル類の含有量が４５〜５５％、プロピレングリコールモノメチルエーテル（化学式：Ｃ４Ｈ１０Ｏ２、ＣＡＳ番号：１０７−９８−２ ）が２５〜３５％、エタノール（化学式：Ｃ２Ｈ６Ｏ、ＣＡＳ番号：６４−１７−５）が１５〜２５％の組み合わせの混合物であることにある。
【発明の効果】
【０００８】
本発明は、上記の構成を具備しているので、乾湿掃除機などの吸引・排出手段によって吸引面から空気と共に吸い込まれた染み抜き液と該染み抜き液に溶解した汚れ物質は、吸引・排出手段の吐出口から浄化槽内部へと導かれて、浄化槽に予め蓄えられている水中内へ放出されて水と接触しながら上面へと気泡となって浄化槽内に放出される。そして、水面と出口の間に設けられている活性炭などの吸着剤と接触しながら大気中に放出される。これによって、吸引した空気中に含まれる染み抜き液の成分や付着成分の溶解成分及び臭いは、浄化槽内の水や吸着剤によって吸着されて浄化される。このような作用によって、浄化槽の出口から大気へ放出された空気は、有害物質は除去され無害であり、しかも無臭となっている。これによって、浄化槽の開口部が室内にあっても、染み抜き作業者に不快感を与えることがなくなり、作業者の作業能率も向上する。
【０００９】
染み抜き液の成分が、グリコールエーテル類の含有量が４５〜５５％、プロピレングリコールモノメチルエーテル（化学式：Ｃ４Ｈ１０Ｏ２  、ＣＡＳ番号：１０７−９８−２）が２５〜３５％、エタノール（化学式：Ｃ２Ｈ６Ｏ、ＣＡＳ番号：６４−１７−５）が１５−２５％、の組み合わせの混合物である場合には、当該混合物は水に接触すると溶解し易く、且つ、吸着剤による臭いの吸着が容易である。
浄化槽の水及び吸着剤の交換時期は、しみや汚れ原因成分の種類、汚れ度合いや使用時間数などによって異なるが、交換することは前記した通り容易である。
【図面の簡単な説明】
【００１０】
【図１】この発明の染み抜き装置の実施形態の全体斜視図。
【図２】透過した浄化槽の全体斜視図。
【図３】図２のＡ−Ａ線断面図。
【図４】図２のＢ−Ｂ線断面図。
【発明を実施するための形態】
【００１１】
この発明の実施形態について、図面を参照しつつ説明する。この発明の実施形態の染み抜き装置１は、作業テーブル２等に設けられた繊維製品３の汚れ部位３ａを載置する吸引面４と、該吸引面４と連通して吸引面４から空気を吸引する吸引口５ａを有する吸引・排出手段５と、該吸引・排出手段５の吐出口５ｂと連通して前記吸引面４から吸引した染み抜き液の成分を含む空気を浄化する浄化槽６と、該浄化槽６の開口部６ａに設けた蓋部材６ｂ放出穴６ｃの内側に設けた吸着剤７を、具備する。
【００１２】
前記作業テーブル２は、補助テーブル８にその一端を支持されている細長な中空のテーブルであって、他端の上面は開口して金網が張られた吸引面４を具備している。作業テーブル２の中空の内部はダクト９によって乾湿掃除機などの吸引・排出手段５の吸引口５ａと連結されている。一方、吸引・排出手段５の排出口５ｂはフレキシブルな連結ホース１０によって浄化槽６と接続している。ここで、吸引・排出手段５として乾湿掃除機を使用したのは、吸引面４からの吸引する際に染み抜き液が液体の状態で吸引されたり、染み抜き後に使用した繊維製品３を洗う洗浄液がそのまま吸引された場合の液体を貯めるためであるが、その他の吸引・排出装置であっても良いのは勿論である。
【００１３】
前記浄化槽６は上方が空いた開口部６ａを具備する槽であって、底部には前記吐出口５ｂと連結ホース１０と連結された放出管１１がある。この放出管１１には、多数の放出ノズル１１ａが開口されているので、吸引・排出手段５から排出された染み抜き液の成分等を含む空気が浄化槽６内に溜っている浄化水Ｗの内部にノズル１１ａを通じて放出されるようになっている。更に、浄化槽６の開口部６ａを開閉自在に密封する蓋部材６ｂには、放出穴６ｃが形成されていると共に、この放出穴６ｃを塞ぐように通気可能な吸着剤７が前記浄化水Ｗの水面の上方に位置するように設けられている。前記吸着剤７は、活性炭をフィルタ状の多孔質部材に詰めて板状にして積層したものをここでは使用しているが、カートリッジフィルターとしたもの、活性炭シートとしたもの等であっても良い。又、これら吸着剤７は、蓋部材６ｂに取り換え自在に固定されているものが好ましい。この実施形態では、通気性のある板状活性炭を重畳したものを蓋部材６ｂの放出穴６ｃの下方にボルト６ｄで着脱自在に固定したものを示している。又、浄化槽６の内部には、浄化水Ｗとして水に洗剤、クレゾールなどを加えたものが通常は槽の半分以下の高さまで入れられている。
【００１４】
前記繊維製品３の汚れ部位３ａを落とすための染み抜き液としては、従来からの有機溶媒の他に、有機溶媒に代えて、或いは併用して、グリコールエーテル類の含有量が４５〜５５％、プロピレングリコールモノメチルエーテル〔化学式：Ｃ４Ｈ１０Ｏ２  、ＣＡＳ番号：１０７−９８−２、官報公示整理番号（化審法・安衛法）（２）−４０４、（７）−９７〕が２５〜３５％、エタノール〔化学式：Ｃ２Ｈ６Ｏ、ＣＡＳ番号：６４−１７−５、官報公示整理番号（化審法・安衛法）（２）−２０２〕が１５−２５％、の組み合わせの混合物を用いても良い。当該混合物は水に接触すると溶解し易く、且つ、吸着剤による臭いの吸着が容易である。
【００１５】
上記の構成からなる染み抜き装置１を使用する場合には、図１に示すように、衣服などの繊維製品３の汚れ部位３ａを作業テーブル２の吸引面４の上面に置き、その汚れ部位３ａに染み抜き液を噴霧器Ｆで噴霧したり、布切れにしみこませて擦ったり、ブラシで擦るなどして染み抜き液を付着させしみや汚れを溶かす。同時に、吸引面４からは吸引・排出手段５からの吸引によってしみや汚れを溶解した染み抜き液が液体又は気体の状態で空気と共にダクト９を通って吸引・排出手段５まで運ばれ液体部分は主としてここで留保されて染み抜き液の気化した気体部分と空気が連結ホース１０から浄化槽６の底部の放出管１１に送られ放出ノズル１１ａを通じて浄化水Ｗに気泡の状態で供給される。これによって、染み抜き液の気体や一部紛れ込んだ液体部分の水溶性成分や油成分はここで浄化水Ｗに接触した際に除去される。その他の成分は、浄化水Ｗの水面から浄化槽６の内部空間に出て、蓋部材６ｂは浄化槽６の開口部６ａに密封されていることから、通気性の吸着剤７を通過して消臭された状態で蓋部材６ｂの放出穴６ｃから大気中へ放出される。この放出された気体は染み抜き液の有する悪臭を含んでいないので、染み抜き作業場に放出されても作業者に不快感をもたらすことはないのは勿論のこと、人体に有害な成分も浄化水Ｗや吸着剤７によって吸着されているので安全である。
【００１６】
使用が継続されて浄化水Ｗや吸着剤７の交換の際は、蓋部材６ｂの浄化槽６の開口部６ａからの取外しや吸着剤７のボルト６ｄの取り外しなどで容易に行える。
【産業上の利用可能性】
【００１７】
この発明は、クリーニング業において、染み抜き作業における染み抜き液の使用に基づく染み抜き液成分の悪臭によって作業者が不快感を生じていた作業現場の環境を改善できるので、多くのクリーニング業においての利用が見込まれ、本発明装置の製造業、販売業における産業の発展に大きく貢献できるものである。
【符号の説明】
【００１８】
１    染み抜き装置
２    作業テーブル
３    繊維製品
４    吸引面
５    吸引・排出手段（乾湿掃除機）
６    浄化槽
６ａ  開口部
６ｂ  蓋部材
６ｃ  放出穴
７    吸着剤
８    補助テーブル
９    ダクト
１０  連結ホース
１１  放出管
１１ａ  放出ノズル  
【図１】
2019010247.tif 000003
【図２】
2019010247.tif 000004
【図３】
2019010247.tif 000005
【図４】
2019010247.tif 000006